(57)【特許請求の範囲】
【請求項１】
清掃用の洗浄液を保持する缶を移動可能に保持する缶キャリーであって、
缶を載置する載置面を有する本体を含み、
前記本体は固定部を有し、
前記固定部は、外形の異なる缶を保持する缶保持手段を固定し、前記缶保持手段は、第１の缶の側面を保持する第１保持手段を含み、
前記第１保持手段には、前記第１の缶と外形の異なる第２の缶の側面を保持する第２保持手段が着脱自在に設けられる、缶キャリー。
【請求項２】
前記第１保持手段は本体に載置された缶の側面を押圧する押圧手段を含み、
前記第２保持手段は前記押圧手段によって前記第２の缶の側面を押圧する、請求項１に記載の缶キャリー。
【請求項３】
前記押圧手段はコイルばねである、請求項２に記載の缶キャリー。
【発明の詳細な説明】
【技術分野】
【０００１】
この発明は、清掃用の洗浄液を保持したバケツ等を移動可能に保持する缶キャリーに関し、特に、作業性のよい缶キャリーに関する。
【背景技術】
【０００２】
従来から、モップ等によって清掃作業をする際に洗浄液を保持したバケツを移動可能に保持する缶キャリーが提供されている。缶キャリーは台車状であり、洗浄液を保持したバケツのような缶を載置する載置面を有する載置部と、載置部から上方向に延在して設けられた把手部と、載置部の下面に設けられた複数のキャスタと含む。載置台の上にバケツが保持された状態で缶キャリーを把持部で押すことによって移動させる。
【発明の開示】
【発明が解決しようとする課題】
【０００３】
従来の洗浄液を保持したバケツを移動可能に保持する缶キャリーは上記のように構成されていた。一般に、このような缶キャリーで搬送される洗浄液を収容した缶には、金属製の円筒状の缶と、上端部に対して下端部の径が小さい逆円錐台形状のプラスチック製の缶とが存在する。従来の缶キャリーは、金属製の円筒状の缶、または、逆円錐台状の缶のいずれかを保持可能に構成されていたため、それぞれの専用の缶キャリーを準備する必要があるという問題があった。
【０００４】
この発明は上記のような問題点に鑑みてなされたもので、形状の異なる缶を保持可能な缶キャリーを提供することを目的とする。
【課題を解決するための手段】
【０００５】
この発明に係る缶キャリーは、清掃用の洗浄液を保持する缶を移動可能に保持する缶キャリーである。缶キャリーは、缶を載置する載置面を有する本体を含み、本体は固定部を有し、固定部は、外形の異なる缶を保持する缶保持手段を固定する。
【０００６】
本体には、外形の異なる缶を保持する缶保持手段が固定されるため、缶保持手段を代えることによって外形の異なる缶の保持が可能になる。
【０００７】
好ましくは、缶保持手段は、第１の缶の側面を保持する第１保持手段を含み、第１保持手段には、第１の缶と外形の異なる第２の缶の側面を保持する第２保持手段が着脱自在に設けられる。
【０００８】
さらに好ましくは、第１保持手段は本体に載置された缶の側面を押圧する押圧手段を含み、第２保持手段は押圧手段によって第２の缶の側面を押圧する。
【０００９】
さらに好ましくは、押圧手段はコイルばねである。
【発明を実施するための最良の形態】
【００１０】
以下、この発明の実施の形態を、図面を参照して説明する。図１はこの発明の一実施の形態に係る缶キャリーの全体構成を示す図である。図１（Ａ）は平面図であり、図１（Ｂ）は図１（Ａ）において矢印Ｂ−Ｂで示す部分の側面図、および、一部断面図である。
【００１１】
図１を参照して、缶キャリー１０は、洗浄液を保持可能な缶を載置する載置面を有する本体１１と、本体１１の下面に設けられ、本体１１を移動させるための４つのキャスタ１６ａ〜１６ｄとを含む。本体１１は、全体としてみたとき、中央部に変形された矩形状または曲線状の辺１２ａ〜１２ｄを有する卍状であり、中央部に同様の形状の貫通孔１２ｅが設けられている。なお、これらの辺の幅寸法は等しいのが好ましい。また、缶キャリー１０は樹脂で構成されるのが好ましい。ここでは、缶キャリー１０は全体として点対称形であるが、これに限るものではない。卍状を構成する十字の４つの先端部１１ａ〜１１ｄ近傍には清掃用の洗浄液を収容した円筒状の缶を保持するための缶保持部２０ａ〜２０ｄが設けられている。十字の先端部１１ａ〜１１ｄから左横方向には半円形の先端部を有する突出部１３ａ〜１３ｄが設けられている。なお、ここでは、載置面は、点線３１で示される、缶が載置された場合の位置の内部である。
【００１２】
缶保持部２０ａ〜２０ｄは、図中点線で示す円形の缶の側面を、図１（Ｂ）において矢印で示す缶の中心方向に押す押圧部（押圧手段）２１と、押圧部２１が缶の側面を押圧できるように付勢するコイルばね等を収容するとともに押圧部２１を支持する支持部２２と、押圧部２１の反対側に設けられたキャスタ取付け部２３とを備える。押圧部２１は、上下方向に延在する部分を有し、上部がキャスタ側に拡がるような形状となっているため、上部から缶を容易に本体１１の中央に位置決め可能である。また、図に示すように、押圧部２１の上部は円形であるのが好ましい。なお、４つの押圧部２１ａ〜２１ｄは、缶キャリー１０が点対称となる点を中心とした円周上に位置する。
【００１３】
キャスタ取付け部２３は扁平状の板でありキャスタ１６に設けられたボルト１７を貫通させる貫通孔と、貫通孔から突出したボルト１７にナット１８を取付けたときの座となる部分とを有している。図１（Ｂ）においては、この部分を参照番号１６ｄ〜１８ｄ、２０ｄ〜２３ｄで示す。
【００１４】
突出部１３ａ〜１３ｄのうち、対向する位置に設けられる突出部１３ａと１３ｃの中央部には円形の貫通孔１４ａ、１４ｃを有している。また、これらに隣接する突出部１３ｂと１３ｄとは下向きの突起部１５ｂ，１５ｄを有している。これら４つの突出部１３ａ〜１３ｄに設けられた２つの貫通孔１４ａ，１４ｃ、および、２つの突起部１５ｂ，１５ｄの中心は同一円周上に存在し、この円の中心は缶キャリー１０の点対称の中心となる点である。
【００１５】
なお、突出部１３ａ〜１３ｄは、十字の先端部１１ａ〜１１ｄから右横方向に設けられてもよい。また、ここでは、本体１１の中央部を、４個の曲線とそれに繋がる辺とからなる変形された矩形状である例について説明したが、これに限らず、任意の形状であってもよい。たとえば、曲線を含まない矩形状としてもよいし、それぞれが円周の１／４からなるような、同一形状の４個の曲線で構成し、これらが、相互にその端部で接続され、元の円とは反対に、それぞれの円弧の中央部において相互に近接する形状としてもよい。
【００１６】
図２（Ａ）、（Ｂ）は突出部１３ｂに設けられた突起部１５ｂと、突出部１３ｃに設けられた貫通孔１４ｃの詳細を示す図であり、図１（Ｂ）においてＩＩＡ、ＩＩＢで示す部分の拡大図である。図２（Ａ）および（Ｂ）を参照して、突起部１５ｂと貫通孔１４ｃとは、突起部１５ｂが貫通孔１４ｃにちょうど嵌りあい、相互に接続可能な寸法となっている。すなわち、突起部（凸部）１５ｂと貫通孔１４ｃとは接続可能である。
【００１７】
また、突出部１３ｂの突起部１５ｂと突起部１５ｂの上に設けられた鍔１５ｃを有する部分との厚さは等しく（図中ｄで示す）、本体１１の厚さの約半分である。同様に、突出部１３ｃの貫通孔１４ｃが設けられた部分と貫通孔が設けられない部分（突起部よりも径が大きい部分）との厚さは等しい（図中ｄで示す）。したがって、突起部１５ｂは貫通孔１４ｃに嵌りあい、接続されたときは、接続部の厚さは、本体１１の厚さにほぼ等しくなる。なお、図に示すように、貫通孔１４ｃの周囲には壁１４ｂの上面が設けられており、この壁１４ｂの上面に鍔１５ｃが位置する。なお、突起部１５ｂと貫通孔１４ｃの厚さはこれに限るものではない。
【００１８】
図３は、複数の缶キャリー１０ａ〜１０ｃ…を、それぞれの突起部と貫通孔とで接続した状態を示す図である。図に示すように、それぞれの本体の上に缶を保持した状態で複数の缶キャリー１０ａ〜１０ｃ…を相互に接続できるため、複数の缶キャリーを一体として移動、または、保管が可能である。
【００１９】
なお、ここでは、缶キャリー１０を１つづつ接続しているが、１つの缶キャリー１０に複数の缶キャリーを接続してもよい。
【００２０】
次にこの発明の他の実施の形態について説明する。上記実施の形態においては
缶キャリー１０は、円筒状の缶を保持可能であった。これに対して、この実施の形態においては、缶キャリー１０は、上部に対して下部の直径が小さい逆円錐台状の缶を保持可能である。図４（Ａ）はこのような逆円錐台状の缶３２を保持した場合の図１（Ｂ）に対応する図であり、図４（Ｂ）は図４（Ａ）において、ＩＶＢ−ＩＶＢで示す部分の平面図である。図４に示すように、この実施の形態においては、缶キャリー１０の缶保持部２０の押圧部２１、および保持部２２には逆円錐台状の缶３２を保持するための第２保持部（第２保持手段）３５が着脱自在に取付けられる。第２保持部３５は樹脂等で構成されているのが好ましい。
【００２１】
第１保持手段として作動する缶保持部と、第２保持手段として作動する第２保持部とは、それぞれ個別に、また、一体として缶保持手段として作動する。
【００２２】
第２保持部３５が取付けられると、第２保持部３５は押圧部２１と一体化されて逆円錐台の缶３２の側面をその中心方向に押圧可能である。  
【００２３】
図４（Ｃ）は、この実施の形態における缶保持部２０の支持部２２の側面図であり、図４（Ｂ）において、第２保持部３５を取付ける前の矢印ＩＶＣ−ＩＶＣで示す矢視図に対応する。図４（Ｃ）を参照して、支持部２２の両側面２４には、上下方向に間隔を開けて２つの突起部２６，２７が設けられている。上の突起部２６は支持部２２のボルト１７が設けられた側の端面である裏面２５と同一の面を有した矩形状の突起部である。下の突起部２７は側面２４のほぼ中央に位置し、突起部２６よりも、前後方向（押圧部２１が存在する方向を前側、ボルト１７が設けられる方向を後側という）に長く延在している。突起部２７の前側２７ａは先端部は側面２４と同じ面にあり、そこから順に高くなって突起部２７は一定の高さである。なお、２つの突起部２６，２７の高さは、後に説明する第２保持部３５の側板の厚さに等しいのが好ましい。また、押圧部２１の下端部には段部２９が形成されている。
【００２４】
図５は第２保持部３５を示す斜視図である。図５を参照して、第２保持部３５は、逆円錐台形状の缶の側面に当接する矩形状の面を有する当接部３６ａと、当接部３６ａの左右方向の両端部から後方へ延在する側壁３７ａ，３７ｂとを含み、上から見ると、コの字状である。当接部３６ａは図４（Ｂ）に示すように円周状の缶の側壁に当接するように曲面を有している。側壁３７ａ，３７ｂには第１および第２突起部２６，２７と係合するための溝３８ａ，３８ｂが設けられている。溝３７ａ，３７ｂは周囲が閉じた溝であり、溝３８ａ，３８ｂはその一端が端部で開放されている。
【００２５】
当接部３６ａの裏面３６ｂは押圧部２１に沿った曲面を有し、その下部には裏面側に突出する裏面側突出部３６ｃが設けられている。また、当接部３６ａの下部は前方向に突出した部分３６ｄが設けられてもよい。
【００２６】
図６は第２保持部３５が缶保持部２０に取付けられた状態を示す図である。図６（Ａ）は第２保持部３５が取付けられた状態を上記した後側から見た図であり、図６（Ｂ）は図４（Ｃ）に示す方向から見た図であり、図６（Ｃ）は上記した前側から見た図である。
【００２７】
図４から図６を参照して缶保持部２０に第２保持部３５を取付ける方法について説明する。図６（Ｂ）において矢印で示すように、第２保持部３５を缶保持部２０にその押圧部２１側から押し込む。溝３８ａ，３８ｂの端部が開放されているとともに、突起部２７の先端部２７ａが側面２４と同じ面から順に立ち上っているため、第２保持部３５の溝３８ａ，３８ｂおよび溝３９ａ，３９ｂは容易に缶保持部２０の突起部２６，２７に係合する。なお、図４に示した突起部２７および先端部２７ａの形状は矩形状であるが、図６に示した突起部２７および先端部２７ａの形状は前側が鋭角となっている。この形状はいずれでもよい。
【００２８】
また、このとき、裏面側突出部３６ｃは押圧部２１の下端部に設けられた段部２９に係合するのが好ましい。このようにして第２保持部３５は缶保持部２０に取付けられるとともに、押圧部２１と一体化される。
【００２９】
溝３８ａ，３８ｂ，３９ａ，３９ｂの長さ方向の寸法は突起部２６,２７の長さ方向の寸法よりも大きい。したがって、押圧部２１によって、第２保持部３５は押圧方向に移動可能である。
【００３０】
第２保持部３５の当接部３６ａには、図６（Ｃ）に示すように弾性を有するゴム、または、柔らかいプラスチック等で形成された突出部４１が設けられている。突出部４１は、相互に間隔を開けて設けられた３つの縦方向の部分４１ａ〜４１ｃとこれらの３つの部分を水平方向に接続する部分４１ｄとを含み、全体として「山」の字状である。第２保持部３５が取付けられたときはこの部分突出部４１で缶を確実に保持可能である。
【００３１】
この突出部４１は山の字を形成する各部の中央部が他の部分より突出しているのが好ましい。
【００３２】
第２保持部３５を缶保持部２０から取外すときは、第２保持部３５の両側壁３７ａ，３７ｂを外側に開くようにして突起部２６，２７と、溝３８ａ，３８ｂとの係合を解けばよい。
【００３３】
なお、上記実施の形態においては、円筒状の缶を保持するための缶保持部２０ａ〜２０ｄを直接本体１１に設けそれに第２保持部３５を設けたが、これに限らず、缶保持部や第２保持部を固定する固定部を設け、それに円筒状の缶を保持する缶保持部や第２保持部を個別に固定するようにしてもよい。
【００３４】
上記実施の形態においては、第２保持部を平面的に見たときに「コ」の字状である場合について説明したが、これに限らず、押圧部と一体化して缶を押圧できれば任意の形状であってもよい。
【００３５】
また、第２保持部を保持部に対して移動可能に取付ける形状として、缶保持部２０に２つの突起部を設け、第２保持部３５に対応する溝を設ける例について説明したが、これに限らず、相互に逆側に設けてもよいし、係合部を任意の数設けてもよい。
【００３６】
また、上記実施の形態においては、保持部が円筒状の缶を保持し、第２保持部が逆円錐台状の缶を保持する場合について説明したが、これに限らず、それぞれが逆の形状の缶を保持するようにしてもよいし、同じ形状の異なる寸法の缶を保持するようにしてもよい。
【００３７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３８】
この発明に係る缶キャリーは、外形の異なる複数の缶を保持可能であるため、清掃用具として有利に使用される。
【図面の簡単な説明】
【００３９】
【図１】この発明の一実施の形態に係る缶キャリーの全体構成を示す図である。
【図２】突出部の詳細を示す図である。
【図３】複数の缶キャリーを接続した状態を示す図である。
【図４】逆円錐台状の缶を保持した場合の缶キャリーの要部を示す図である。
【図５】第２保持部を示す斜視図である。
【図６】第２保持部の詳細を示す図である。
【符号の説明】
【００４０】
１０  缶キャリー、１１  本体、１２  辺、１３  突出部、１４  貫通孔、１５  突起部、１６  キャスタ、１７  ボルト、１８  ナット、２０  缶保持部、２１  押圧部、２２  支持部、２３  キャスタ取付け部、２６，２７  突起部、２９  段部、３５  第２保持部、３８，３９  溝。
【図１】
0005276901.tif 000002
【図２】
0005276901.tif 000003
【図３】
0005276901.tif 000004
【図４】
0005276901.tif 000005
【図５】
0005276901.tif 000006
【図６】
0005276901.tif 000007